(57)【要約】【課題】本発明は、電気メスの先端電極に生体組織や血液を付着凝固させないように、生理食塩水の膜を形成するようにした電気メスの給水装置を提供する。【解決手段】本発明に係る電気メスの給水装置は、先端電極３を取付けた軸部２に、前記先端電極に生理食塩水を給水できる導水管４を設置してなる電気メス本体１と、前記導水管４に定量の生理食塩水を継続して供給できる供給手段５とを設けたことを特徴とし、先端電極を定量流出させた生理食塩水にて常に濡らしておけるように構成した。【選択図】図１
2016087180.tif 000002
【特許請求の範囲】
【請求項１】
先端電極を取付けた軸部に、該先端電極に生理食塩水を給水できる導水管を設置してなる電気メス本体と、該導水管に定量の生理食塩水を継続して供給できる供給手段と、を設けたことを特徴とする電気メスの給水装置。
【請求項２】
前記供給手段が、生理食塩水を注入すると膨らむ弾性袋を外装ケース内に設け、該弾性袋の収縮力により外装ケース外に定量の生理食塩水を継続して流出できるようになっていることを特徴とする請求項１に記載の電気メスの給水装置。
【発明の詳細な説明】
【技術分野】
【０００１】
本発明は、高周波電流によって外科的処置をするための電気メスの給水装置に関するものである。
【背景技術】
【０００２】
一般に、電気メスは、人体に高周波電流を流し、このときの負荷もしくは接触抵抗によってジュール熱が発生し、この熱が瞬時に細胞を加熱し、爆発・蒸散させ、タンパク質を凝固させるものである。すなわち、高周波電流発生装置と、これを導出して生体に通じさせる金属部と、生体から電流を回収する対極板からなるものである。
【０００３】
上記電気メスは、医療に際し、電気メスの先端電極に生体組織や血液が付着凝固して炭化して皮膜を形成した場合には、その皮膜が先端電極より抵抗が高いので電流密度が低くなり、先端電極と接触する生体組織部の発熱温度が低下して水分蒸発と凝固速度が遅くなっていわゆる切れ味を悪くするものであった。
【０００４】
刃物の切れ味を悪くしない技術として、特開平１１−１２３７０１号公報が開示されている。この技術は往復動させて物体を切断する鋸に潤滑油を供給する装置を備え、適時潤滑油を供給することにより鋸の物体との摩擦力を低減させたものである。
【特許文献１】特開平１１−１２３７０１号公報
【発明の開示】
【発明が解決しようとする課題】
【０００５】
しかしながら、上記特許文献１のものは、鋸が潤滑油により摩擦力を低減させないようにしたもので、電気メスの先端電極に生体組織や血液が付着凝固して炭化することを阻止するものとは根本的に異なるものであった。
【０００６】
本発明は、電気メスの先端電極の切れ味を悪くする原因を除去するもので、その目的とする処は、電気メスの先端電極に生体組織や血液を付着凝固させないために生理食塩水の膜を形成するようにした電気メスの給水装置を提供することにある。
【０００７】
上記目的を達成するため、本発明に係る電気メスの給水装置は、先端電極を取付けた軸部に、該先端電極に生理食塩水を給水できる導水管を設置してなる電気メス本体と、該導水管に定量の生理食塩水を継続して供給できる供給手段と、を設けたことを特徴とし、先端電極を定量流出させた生理食塩水にて常に濡らしておくように構成した。
【０００８】
また、請求項２に係る電気メスの給水装置は、前記供給手段が、生理食塩水を注入すると膨らむ弾性袋を外装ケース内に設け、該弾性袋の収縮力により外装ケース外に定量の生理食塩水を継続して流出できるようになっていることを特徴とし、生理食塩水の供給手段が外装ケースとともに持ち運べるようにするとともに、医師の手元近くにおけるように構成した。
【発明の効果】
【０００９】
本発明によれば、医師が、電気メスを使用して患者に医療行為を施すに際し、電気メスの先端電極を生理食塩水で常に濡らしておくことができる。したがって、先端電極に生体組織や血液が付着凝固して炭化することを確実に阻止することができるという優れた効果を奏するものである。
【００１０】
また、請求項２に係る発明によれば、医師が、電気メスを使用して患者に医療を施すに際し、生理食塩水の供給手段が外装ケースとともに持ち運べる。しかも、生理食塩水の供給手段を医師の手元近くにおいて電気メスを用いる医療行為ができるという優れた効果を奏するものである。
【発明を実施するための最良の形態】
【００１１】
次に、本発明の実施の態様について図面を参照して説明する。図１は電気メス本体を略記的に示す説明図、図２は電気メスの先端電極が生理食塩水で濡れる状態を示す正面図、図３は生理食塩水の供給手段の正面図、図４は定量流出部の拡大断面図である。
【００１２】
図１において、１は電気メス本体で、該電気メス本体１は、高周波電流によって外科的処置（例えば手術など）をするためのものである。２は軸部で、該軸部２の先端には交換可能に先端電極３が取付けられている。該先端電極３は高周波電流発生装置（図示せず）からリード線Ｒを介して受けた電流を生体Ｓに通じさせる金属部である。
【００１３】
前記先端電極３は、通常ディスポウザブル（使い捨て）になっている。図示の先端電極３は、その主部３′が球状であり、ネック部３″が軸部２の先端（図面では下）に螺合するための雄ネジが刻設（図示せず）されている。前記主部３′は球状のほか、図示していないが、Ｌ型タイプ、ストレートタイプなど種々存在する。前記電気メス本体１の使用には、先端電極３及び生体Ｓから電流を回収するための対極部を必要とするが、ここでは図示を省略している。
【００１４】
前記軸部２は医師が把持する部分（電気的絶縁体）であり、内面には導水管４が埋設されている。該導水管４の先端（下側）４′の内面には雌ネジ（図示せず）が設けられ、前記先端電極３のネック部３″に設けた雄ネジ（図示せず）を螺合できるように構成している。しかして、前記先端電極３の少なくともネック部３″には中空部３ａ
が設けられ、該中空部３ａには外面の適所に設けた水通し穴３ｂが連繋している。前記軸部２の上位には軸外に飛び出した導水管４の上管端４″に定量の生理食塩水を継続して供給できる供給手段５が接続管Ｋを介して接続している。なお、前記導水管４は、軸部２の外面に沿って設けてもよい。
【００１５】
前記埋設型の導水管４の先端４′は、前記先端電極３のネック部３″に挿入されており、前記給水手段５より送られてきた生理食塩水の定量を継続してネック部３″の中空部から水通し穴３ｂを通して、図２の一点鎖線矢印の如く、先端電極３の主部３′を濡らせるように滴下させることができる。すなわち、給水手段５から送水された生理食塩水は導水管４の基端４″から先端４′を経て先端電極３の表面を濡らすことができる。
【００１６】
前記給水手段５は特に限定されない。たとえば、薬液充填シリンダと陰圧発生シリンダとを直列に配置し、陰圧発生シリンダ内及び薬液充填シリンダ内のピストンを連繋して引いて陰圧発生シリンダ内に真空を作ると同時に薬液充填シリンダ内に充填した薬液を、陰圧発生シリンダの真空力により持続排出する「シリンジェクターＩ（商標）」の原理を利用しても、また、ポンプ本体内に注入させた薬液をスプリングが復元するときに発生する内圧により薬液を流出させる「リニアフューザー（商標）」の原理を利用しても、さらには、外から手動ポンプによる送気で一定圧に加圧されたバックによりバック内の薬液を押し出す「ＰＧ加圧バックＩＩ（手動式圧注入調節装置）」の原理を利用してもよい。勿論、同様の原理を利用する他の装置があればそれを利用しても良い。
【００１７】
本実施例では、図３の如く、外装ケース６内に生理食塩水を注入すると膨らむ弾性袋７を備えている。該弾性袋７は、前記外装ケース６のキャップ部８の中央部から垂下した中空軸９に密着しているとともに、上縁７′を、前記中空軸９の上部９′に固着している。また、前記中空軸９の中空部分は透孔１０を介して弾性袋７の内面に開孔している。
【００１８】
前記中空軸９は、流入側筒体１１内に連通孔（図示せず）を介して連通している。したがって、生理食塩水を図示していないシリンジ（注射器の筒部）にて吸引し、該シリンジの先端を、蓋体１１′を開けて流入側筒体１１からピストンを押して連通孔を通して前記中空軸９に注入すると、前記弾性袋７は生理食塩水により破線の如く膨らむ。この場合、弾性袋７の膨らみ方を整えるために変形可能なコイル状のスプリングを使用することもある。なお、前記流入側筒体１１内の連通孔には前記中空軸９に注入した生理食塩水が逆流しないように逆止弁（図示せず）が備えられていることは勿論である。
【００１９】
前記弾性袋７は、膨らんだ後、収縮力により内部の生理食塩水は、流出側筒体１２内に設けた流出路（図示せず）を通して定量流出部１３に送り出される。該定量流出部１３は、一定の長さを有する管部で構成し、周囲は固い材料（例えば、硬質のプラスチック）にて形成され、その中心孔１４を、図４の如く、例えばＹ字状に形成している。この中心孔１４は管部の長さにわたって設けられているので、ここを通る生理食塩水は、極めて少量（ほぼ１時間当たり３５ｃｃを目安に調整される）となる。なお、中心孔１４はＹ字状のみには限定されない。
【００２０】
前記定量流出部１３の下流側には三方弁（三方活栓）１５が設けられている。該三方弁１５は定量流出部１３からの生理食塩水を本流端１５ａとＯＦＦ端１５ｂとを切り換えるために有効である。三方弁１５の本流端１５ａにはコネクター１６を介してチューブ１７が延出されている。該チューブ１７の先端は、前記電気メス本体１の軸部２に埋設された導水管４の基端４″にロック手段（図示せず）を介して接続されている。
【００２１】
次に、本願の作用を説明する。まず、前記三方弁１５をＯＦＦ端１５ｂ方向に操作する。次いで、シリンジ（注射器の筒部）に生理食塩水を吸引し、蓋体１１′を開けて流入側筒体１１にシリンジの先端を差し込み、生理食塩水を押出し、連通孔を通して外装ケース６のキャップ部８の中央部から垂下した中空軸９に生理食塩水が注入されることとなる。該中空軸９に注入された生理食塩水は、その中空部分から透孔１０を通して上縁が固着されている弾性袋７に注入されて膨らみ、前記給水手段５の準備が整うこととなる。
【００２２】
しかして、シリンジからの生理食塩水の弾性袋７への注入が終了した後、医師をして電気メス本体１を用いた医療を施すにあたり、準備が整った給水手段５が収容されている外装ケース６を身近（処置台の上に置く等）に備える。
【００２３】
ついで、医師は電気メス本体１の軸部２を、先端電極３が下を向くように持ち、前記三方弁１５を本流端１５ａ方向に操作する。これにより前記弾性袋７の収縮力により生理食塩水が流出側筒体１２内に設けた流出路（図示せず）を通して定量流出部１３にてほぼ１時間当たり３５ｃｃに調整されて軸部２に埋設されている導水管４の先端４′から先端電極３の表面を濡らすように出る。
【００２４】
次いで、医師は、先端電極３が当たる人体に高周波電流を流し、このときの負荷もしくは接触抵抗によってジュール熱を発生させ、この熱により瞬時に細胞を加熱し、爆発・蒸散させるとともに、タンパク質を凝固させる。したがって、生体組織や血液が先端電極３に付着して凝固や炭化してしまうことがなく、切れ味を損なわない。
【００２５】
かくして、必要な医療行為が終了したならば前記三方弁１５をＯＦＦ端１５ｂ方向に操作する。これにより電気メス本体１の使用した医療行為は総て終了することとなる。
【産業上の利用可能性】
【００２６】
本願によれば、電気メスの先端電極に生体組織や血液を付着凝固させないように、先端電極に生理食塩水の膜を形成するもので、医療分野において有用であるほか、広く産業上の利用可能性は高いものである。
【図面の簡単な説明】
【００２７】
【図１】電気メス本体を略記的に示す説明図である。
【図２】電気メスの先端電極が生理食塩水で濡れる状態を示す正面図である。
【図３】生理食塩水の供給手段の正面図である。
【図４】定量流出部の拡大断面図である。
【符号の説明】
【００２８】
１  電気メス本体
２  軸部
３  先端電極
３′  主部
３″  ネック部
３ａ  中空部
３ｂ  水通し穴
４  導水管
４′  先端
４″  基端
５  給水手段
６  外装ケース
７  弾性袋
８  キャップ部
９  中空軸
１０  透孔
１１  流入側筒体
１１′  蓋体
１２  流出側筒体
１３  定量流出部
１４  中心孔
１５  三方弁
１５ａ  本流端
１５ｂ  ＯＦＦ端
１６  コネクター
１７  チューブ
Ｓ  生体
Ｒ  リード線
Ｋ  接続管
【図１】
2016087180.tif 000003
【図２】
2016087180.tif 000004
【図３】
2016087180.tif 000005
【図４】
2016087180.tif 000006